(57)【要約】【課題】短尺フィルムを汎用のネガマスクにセットする場合に用い、フィルムの幅方向端部に記録された情報の検出を妨げることなく、単純な作業によりフィルムを曲げずに平面を保った状態で着脱自在に保持できるようにする。【解決手段】フィルム２と略同一の幅を有する矩形部１１ｃ及び矩形部１１ｃの幅方向一辺の両端から同一平面上に長手方向に沿って延長された延長部１１ａ，１１ｂを有する基板１１と、延長部１１ａ，１１ｂのそれぞれに長手方向に沿って配置された立ち上げ部１２ａ，１２ｂとを備えたフィルムアダプター１０である。各立ち上げ部１２ａ，１２ｂはフィルム２の幅方向一端及び他端にそれぞれ形成されたパーフォレーション２ａ，２ｂに挿入されるもので、それぞれ搬送方向の下流側に向けて基板１１の平面から斜め上方に突出している。フィルム２を取り付けた状態での全体長さはセットされるネガマスクにおける搬送用ローラ間のピッチの最大距離以上となる。【選択図】　　　　図１
2004069964.tif 000002
【特許請求の範囲】
【請求項１】
ネガマスク内に複数配置された搬送用ローラ間のピッチの最大距離よりも短い長さのフィルムが取り付けられることにより、取り付けられた前記フィルムを含む長さが前記搬送用ローラ間のピッチの最大距離以上となるフィルムアダプターにおいて、
基板と、前記フィルムの幅方向両端に長手方向に沿って形成された複数のパーフォレーションのうち少なくとも前記幅方向一端側に形成された１つのパーフォレーションと前記幅方向他端側に形成された１つのパーフォレーションとに挿入されるように前記基板の幅方向両端に設けられた係止部とを備え、
前記係止部が前記基板の平面外に突出していることを特徴とするフィルムアダプター。
【発明の詳細な説明】
【０００１】
【発明の属する技術分野】
本発明は、現像済みフィルムに記録された画像を汎用のネガマスクを用いて露光又はスキャニングする際にフィルムを取り付けてネガマスクにセットするためのフィルムアダプターに関し、特に１コマネガのような短尺フィルムを取り付けるためのフィルムアダプターに関する。
【０００２】
【従来の技術】
現像済みフィルムに記録された画像をプリントしたりデジタル画像として取り込んだりする場合、フィルムを図５に示すネガマスク１（フィルムマスクと称される場合もある）にセットし、ネガマスク１の開口部７に対して光を照射して露光又はスキャニングを行うことがある。ネガマスク１の搬送路５に対してＡ方向に挿入されたフィルムは、ベルト８を介してモータＭで駆動される所定間隔をとって複数配置された搬送用ローラ６ａ，６ｂ，６ｃによって、開口部７へと搬送される。
【０００３】
このような構成のネガマスク１に１コマネガのような短尺フィルムをセットする場合、フィルムの長さがネガマスクの隣接する搬送用ローラ６ａ〜６ｃ間のピッチＬｐよりも短いため、搬送用ローラ６ａ〜６ｃ間に落ち込んでしまって搬送できなかったり、あるいは搬送できたとしても安定した搬送が困難になったりという問題が生じる。
【０００４】
そこで従来は、図６に示すようなスヌケネガ３（画像が記録されていない現像済みのネガ）を短尺フィルム２にテープ４で貼り付け、全体長さをネガマスク１の搬送用ローラ６ａ〜６ｃ間のピッチＬｐ以上となるようにしたり、搬送用ローラ６ａ〜６ｃ間のピッチＬｐが小さい短尺フィルム２専用のネガマスクやマニュアル方式のネガマスクなどを使用したりして対応している。
【０００５】
しかし、スヌケネガ３を用いる場合、スヌケネガ３と短尺フィルム２とを正確にまっすぐ貼り付ける必要があり、手間と時間がかかる。また、スヌケネガ３はテープ４の貼り付け及び引き剥がしによって劣化するため繰り返しの使用に向かないこと、テープ４の厚みのため露光処理を行う際にフォーカスが狂ってしまうことなどの欠点がある。一方、専用のネガマスクを用いる場合は、短尺フィルム２に対してのみわざわざ専用のものを用意しなければならず、不経済である。
【０００６】
このような問題に鑑みて、特開平１１−２０２４２２号公報や特開２００１−１９４７２７号公報には、短尺フィルム専用のネガマスクが不要で、スヌケネガを用いることなく、短尺フィルムに取り付けて汎用のネガマスクにセットできるフィルムアダプターが開示されている。つまり、これらは専用のネガマスクやスヌケネガを用いる場合に生じる問題を解消しようとするものである。
【０００７】
特開平１１−２０２４２２号公報におけるフィルムアダプターは、薄板状の基板に、フィルムの画像部に対応させた透光性を有する透光部とフィルムの幅方向端部を挿入するためのスリットとが形成された構成である。特開２００１−１９４７２７号公報においては、上記と同様のフィルム幅方向端部を挿入するためのスリットが形成されたフィルムアダプター以外に、フィルムの幅方向両端に長手方向（ネガマスク内でのフィルム搬送方向）に沿って形成されたパーフォレーションに引っ掛けられるような基板と同一平面上で搬送方向に直交する外向きの突起部が設けられたフィルムアダプターが開示されている。
【０００８】
【発明が解決しようとする課題】
しかしながら、上記公報におけるスリットが形成されたフィルムアダプターでは、フィルムの幅方向端部を曲げてスリット内に挿入する必要があるため、フィルムの幅方向端部が変形し、さらにこの変形によりフィルムが損傷してしまうという問題がある。また、フィルムの幅方向端部が曲げられた状態でフィルムアダプターに固定されると、フィルム画像部がフィルム面と直交する方向に凸に浮いた湾曲状態となる。このようにフィルムが湾曲した状態では適切な露光やスキャニングが行われず、画質が低下したり、フィルムがネガマスク内で詰まって搬送できなかったりする恐れがある。またさらに、フィルムのパーフォレーション近傍には、通常コマ番号やネガの種類などのフィルムに関する情報が記録されたバーコードが存在し、この部分がスリットに挿入されることで変形すると、情報検出が困難になるという問題もある。
【０００９】
一方、フィルムアダプターに設けられた搬送方向に直交する外向きの突起部をフィルムのパーフォレーションに引っ掛ける場合でも、突起部が基板と同一平面に設けられていることから、引っ掛けられたフィルムのパーフォレーション近傍のみ突起部によって下側に押し下げられてしまう。この場合もスリット内にフィルムを挿入する場合と同様に、取り付け部分においてフィルムが変形することやフィルム全体が湾曲状態となるという問題がある。
【００１０】
そこで、本発明の主な目的は、短尺フィルムを汎用のネガマスクにセットする場合に用いられるフィルムアダプターであって、フィルムの幅方向端部に記録された情報の検出を妨げることなく、単純な作業によりフィルムを曲げずに平面を保った状態で着脱自在に保持することが可能なフィルムアダプターを提供することである。
【００１１】
【課題を解決するための手段】
上記目的を達成するために、請求項１のフィルムアダプターは、ネガマスク内に複数配置された搬送用ローラ間のピッチの最大距離よりも短い長さのフィルムが取り付けられることにより、取り付けられた前記フィルムを含む長さが前記搬送用ローラ間のピッチの最大距離以上となるフィルムアダプターにおいて、基板と、前記フィルムの幅方向両端に長手方向に沿って形成された複数のパーフォレーションのうち少なくとも前記幅方向一端側に形成された１つのパーフォレーションと前記幅方向他端側に形成された１つのパーフォレーションとに挿入されるように前記基板の幅方向両端に設けられた係止部とを備え、前記係止部が前記基板の平面外に突出していることを特徴とする。
【００１２】
短尺フィルムに記録された画像を汎用のネガマスクを用いて露光やスキャニングを行う際、上記構成のようなフィルムアダプターにフィルムを取り付けてネガマスクにセットすることで、短尺フィルム専用のネガマスクが不要で経済的である。また、スヌケネガを使用する場合は煩雑な作業が必要となるが、上記構成のフィルムアダプターを使用する場合は、フィルムの幅方向両端に形成されたパーフォレーションに突出した係止部を挿入するという単純な作業によって、フィルムをフィルムアダプターに取り付けることができる。さらに、スヌケネガを使用する場合のようなテープの貼り付け及び引き剥がしによる劣化がないので、繰り返しの使用にも適しており、この観点からも経済的であるといえる。
【００１３】
また、特開平１１−２０２４２２号公報及び特開２００１−１９４７２７号公報におけるフィルムアダプターとは異なり、上記構成によるフィルムアダプターのフィルム取り付け部分（係止部）は基板の平面外に突出している。これにより、フィルムを曲げずに、平面を保った状態で、係止部をパーフォレーションに挿入して着脱自在に保持することが可能となっている。そしてこのようにフィルムを保持することで、フィルムにおけるフィルムアダプターへの取り付け部分の変形やフィルム全体の湾曲という問題を解消することができる。またさらに、フィルムの幅方向端部が曲げられたりスリット内に挿入されたりしないので、記録された情報の検出を妨げることもない。
【００１４】
本発明に係るフィルムアダプターの具体例としては、フィルムと略同一の幅を有する矩形部と矩形部の幅方向一辺の両端から同一平面上に長手方向に沿って延長された２つの延長部とを有する基板と、基板における２つの延長部のそれぞれに少なくとも１つずつ形成された係止部とを備えた構成が考えられる。このようなフィルムアダプターにフィルムを取り付けた場合、その全体長さは矩形部と延長部とを含む基板の長さとは限らず、係止部の配置や取り付けられるフィルムの長さに関係するものとなる。つまり、任意の長さのフィルムを取り付けることが可能で、これにより全体長さを変更できるので、様々な搬送用ローラ間のピッチを有するネガマスクに対応することができる。
【００１５】
別の具体例として、上記と同様にフィルム幅と同一寸法の幅を有する矩形部と矩形部の幅方向一辺の両端から同一平面上に長手方向に沿って延長された２つの延長部とを有する基板と、基板における２つの延長部のそれぞれに少なくとも１つずつ形成された係止部とを備えると共に、さらに、２つの延長部を接続する接続部を備えた構成が考えられる。この場合、フィルムを取り付けたときフィルムアダプターからフィルムがはみださない。このような構成によると、取り付け対象となるフィルムのコマ数を予め設定した上で、基板の矩形部、延長部、及び接続部に囲まれた開口部を設けることで、限定したコマ数のフィルム専用のフィルムアダプターとすることができる。例えば開口部を１コマネガ用に形成することで、一般にそのままではネガマスクを用いて露光又はスキャニングすることができない１コマネガのフィルムに対する専用のフィルムアダプターとすることができる。
【００１６】
なお、係止部の数を増やしてフィルムのパーフォレーションのより多くに挿入することで、フィルムをより確実に保持することが可能となり、ネガマスク内で搬送される際にフィルムがフィルムアダプターから外れてしまうという可能性を最小限に抑えることができる。
【００１７】
また逆に、係止部の数を少なくすると、フィルムの取り付け作業がより簡単になるという効果が得られる。
【００１８】
【発明の実施の形態】
以下、本発明の好適な実施の形態について、図面を参照しつつ説明する。
【００１９】
先ず、図１及び図２（ａ），（ｂ）を参照しつつ、本発明の第１の実施形態に係るフィルムアダプターの構成について説明する。図１に示す本実施形態のフィルムアダプター１０は、後述のフィルム２と略同一の幅を有する矩形部１１ｃと、矩形部１１ｃの幅方向一辺の両端から同一平面上に長手方向に沿って延長された２つの細長い延長部１１ａ，１１ｂとを有する基板１１を備えている。基板１１における２つの延長部１１ａ，１１ｂのそれぞれには、後述するフィルム２のパーフォレーション２ａ，２ｂの間隔と同一間隔で長手方向に配置された立ち上げ部１２ａ，１２ｂが５つずつ形成されている。そして２つの延長部１１ａ，１１ｂの間には、後述するフィルム２の画像部２ｃと略同一の幅を有する空間１２ｃが形成されている。
【００２０】
本実施形態における各立ち上げ部１２ａ，１２ｂは、後述するフィルム２のパーフォレーション２ａ，２ｂよりも若干小さい寸法を有する爪形状であり、基板１１の平面から上側に突出している。より詳細には、各立ち上げ部１２ａ，１２ｂはネガマスク内での搬送方向（図中の矢印方向）の上流側において延長部１１ａ，１１ｂと連結し、その連結辺を折れ線として搬送方向の上流側に折り曲げられている。
【００２１】
図１のフィルムアダプター１０の上方には、フィルムアダプター１０に取り付ける前のフィルム２が示されている。本実施形態で用いるフィルム２は、長さＬｆを有する１コマネガの短尺フィルムとする。フィルム２の中央には画像が記録された画像部２ｃ、そして幅方向両端にはそれぞれ長手方向に沿って５つの矩形のパーフォレーション２ａ，２ｂが形成されている。
【００２２】
図２（ａ）には、フィルム２がフィルムアダプター１０に取り付けられた状態が示されている。フィルム２をフィルムアダプター１０に取り付けた状態ではフィルム２の画像部２ｃと図１に示したフィルムアダプター１０の空間１２ｃとがほぼ重なり、幅方向にもほぼずれのない状態になっている。また図２（ｂ）には、延長部１１ａに形成された立ち上げ部１２ａとフィルム２のパーフォレーション２ａとにおける係止状態が示されている。
【００２３】
フィルム２がフィルムアダプター１０に取り付けられた状態における全体長さＬは、図５に示したネガマスク１内に複数配置された搬送用ローラ６ａ，６ｂ，６ｃ間のピッチの最大距離Ｌｐ以上である。本実施形態において、全体長さＬは２コマネガの長さにほぼ等しいものとする。
【００２４】
フィルム２を本実施形態のフィルムアダプター１０に取り付けるには、フィルム２を斜め上方からフィルムアダプター１０に近づけ、フィルム２に形成された５つのパーフォレーション２ａ，２ｂのそれぞれに、対応するフィルムアダプター１０の立ち上げ部１２ａ，１２ｂを挿入するという簡単な作業のみでよい。
【００２５】
フィルム２が取り付けられたフィルムアダプター１０をネガマスク１内にセットする際、フィルム２を下側にするのが好ましい。こうすると、ネガマスク１内において、フィルム２の画像部分２ｃがフィルムアダプター１０を用いない場合と略同一の高さに配置されることになり、フォーカスの狂いのない適切な露光又はスキャニングが可能になる。
【００２６】
ネガマスク１内で搬送される際には、フィルムアダプター１０が図２（ａ）に示す搬送方向下流側に引っ張られるため、フィルム２は自ずとフィルムアダプター１０に対して搬送方向上流側にずれた状態となる。これにより、搬送中にフィルム２がフィルムアダプター１０から外れるという不都合を防止できる。なお、フィルム２をフィルムアダプター１０から取り外すときは、フィルム２をフィルムアダプター１０に対して搬送方向下流側斜め上方向に移動させればよい。
【００２７】
次いで、図３を参照しつつ、本発明の第２の実施形態に係るフィルムアダプターの構成について説明する。本実施形態のフィルムアダプター２０は、上述した第１の実施形態に係る矩形部１１ｃと同様の、フィルム２と略同一の幅を有する矩形部２１ｃを有する基板２１を備えている。矩形部２１ｃの幅方向一辺の両端近傍からは、第１の実施形態の延長部１１ａ，１１ｂよりも細長な２つの細長延長部２１ａ，２１ｂが同一平面上に長手方向に沿って延長されている。各細長延長部２１ａ，２１ｂには、その先端から略直角に幅方向外側に屈曲された屈曲部２３ａ，２３ｂと、さらにその先端から矩形部２１ｃ側に折り返された下側突出部２２ａ，２２ｂとが接続されている。そしてこれら細長延長部２１ａ，２１ｂ、屈曲部２３ａ，２３ｂ、及び下側突出部２２ａ，２２ｂによって、鈎部２４ａ，２４ｂが構成されている。
【００２８】
第１の実施形態ではフィルム２のパーフォレーション２ａ，２ｂ全てに挿入されるよう各パーフォレーション２ａ，２ｂに対応させた立ち上げ部１２ａ，１２ｂが設けられているが、本実施形態では、全てのパーフォレーション２ａ，２ｂではなく幅方向の一端側及び他端側におけるそれぞれ１つずつのパーフォレーション２ａ，２ｂに対して、幅方向両端にそれぞれ１つずつ設けられた鈎部２４ａ，２４ｂにおける下側突出部２２ａ，２２ｂが挿入されるようになっている。各鈎部２４ａ，２４ｂにおいて、細長延長部２１ａ，２１ｂ及び屈曲部２３ａ，２３ｂは基板２１の矩形部２１ｃと同一平面状にあるが、下側突出部２２ａ，２２ｂは基板２１の矩形部２１ｃの平面より下側に突出している。
【００２９】
フィルム２を本実施形態のフィルムアダプター２０に取り付けるには、図１に示したフィルム２のフィルムアダプター２０に対する取り付け側の幅方向両端にあるパーフォレーション２ａ，２ｂに、それぞれ鈎部２４ａ，２４ｂの下側突出部２２ａ，２２ｂを挿入するだけでよい。第１の実施形態の場合とは異なり、本実施形態ではフィルム２を斜め下方からフィルムアダプター１０に近づけて上記挿入作業を行う。そして図２（ｂ）とは上下反対の係止状態となり、フィルム２がフィルムアダプター２０より下側に配置されることになる。
【００３０】
次いで、図４を参照しつつ、本発明の第３の実施形態に係るフィルムアダプターの構成について説明する。本実施形態のフィルムアダプター３０は、上述した第１の実施形態に係るフィルムアダプター１０と同様の、矩形部３１ｃとそれぞれに立ち上げ部３２ａ，３２ｂが形成された２つの延長部３１ａ，３１ｂとを有する基板３１を備えていると共に、さらに、２つの延長部３１ａ，３１ｂを接続する接続部３１ｄを備えている。基板３１の矩形部３１ｃ、２つの延長部３１ａ，３１ｂ、及び接続部３１ｄに囲まれた開口部３２ｃは、フィルム２の画像部２ｃと略同一寸法となっている。
【００３１】
本実施形態のフィルムアダプター３０では、フィルム２取り付け前における全体長さ、即ちフィルムアダプター３０本体の長さＬが、図５に示したネガマスク１内に複数配置された搬送用ローラ６ａ，６ｂ，６ｃ間のピッチの最大距離Ｌｐ以上である。つまり、本実施形態では、フィルム２を取り付けたときフィルムアダプター３０からフィルム２がはみださないようになっている。上述した第１及び第２の実施形態のフィルムアダプター１０，２０では取り付け対象となるフィルム２のコマ数は限定されず、フィルム２をフィルムアダプター１０，２０に取り付けた状態における全体長さＬがＬｐ以上となればよいが、本実施形態では取り付け対象となるフィルム２のコマ数を予め設定されるものとする。そして設定されたコマ数に対応するように、基板３１の矩形部３１ｃ、延長部３１ａ，３１ｂ、及び接続部３１ｄに囲まれた開口部３２ｃを形成する必要がある。なお、フィルム２を本実施形態のフィルムアダプター３０に取り付ける作業や図２（ｂ）に示したような係止状態については上述した第１の実施形態の場合と同様である。
【００３２】
なお、フィルムアダプター１０，２０，３０の材料としてはフィルム２と同等の強度を持つものであればよく、その厚さはフィルム２と重ねたときネガマスク１内の搬送経路を通過するのに支障のないものとする必要がある。例えばプラスティック、ポリ塩化ビニル、ポリエステルフィルムなどを使用することができる。また、使用する材料が透明又は半透明であれば、自動搬送を行うネガマスクを用いる場合にフィルム２のパーフォレーション２ａ，２ｂやバーコードの検出が適切に行われ、露光又はスキャニング位置においてフィルム２を確実に停止させることができる。
【００３３】
以上に述べたように、本発明に係る第１〜第３の実施形態に係るフィルムアダプター１０，２０，３０は、基板１１，２１，３１と、フィルム２の幅方向両端に長手方向に沿って形成された５つのパーフォレーション２ａ，２ｂのうち少なくとも幅方向一端側に形成された１つのパーフォレーションと幅方向他端側に形成された１つのパーフォレーションとに挿入されるように、基板１１，２１，３１の幅方向両端にそれぞれ設けられた立ち上げ部１２ａ，１２ｂ，３２ａ，３２ｂ又は下側突出部２２ａ，２２ｂとを備え、立ち上げ部１２ａ，１２ｂ，３２ａ，３２ｂ又は下側突出部２２ａ，２２ｂが基板１１，２１，３１の平面外（立ち上げ部１２ａ，１２ｂ，３２ａ，３２ｂは上側、下側突出部２２ａ，２２ｂは下側）に突出している。
【００３４】
このような構成とすることで、短尺フィルム２に記録された画像を汎用のネガマスク１を用いて露光やスキャニングを行う際、上記構成のようなフィルムアダプター１０，２０，３０にフィルム２を取り付けてネガマスク１にセットすることで、短尺フィルム専用のネガマスクが不要で経済的である。
【００３５】
また、従来のようにスヌケネガを使用する場合は煩雑な作業が必要となるが、上記構成のフィルムアダプター１０，２０，３０を使用する場合は、フィルム２の幅方向両端に形成されたパーフォレーション２ａ，２ｂに、突出した立ち上げ部１２ａ，１２ｂ，３２ａ，３２ｂ又は下側突出部２２ａ，２２ｂを挿入するという単純な作業によって、フィルム２をフィルムアダプター１０，２０，３０に取り付けることができる。
【００３６】
さらに、従来のスヌケネガを使用する場合のようなテープの貼り付け及び引き剥がしによる劣化がないので、繰り返しの使用にも適しており、この観点からも経済的であるといえる。
【００３７】
また、上記構成によるフィルムアダプター１０，２０，３０の立ち上げ部１２ａ，１２ｂ，３２ａ，３２ｂ又は下側突出部２２ａ，２２ｂは基板２１の平面外に突出しているため、フィルム２を曲げずに、平面を保った状態で、立ち上げ部１２ａ，１２ｂ，３２ａ，３２ｂ又は下側突出部２２ａ，２２ｂをパーフォレーション２ａ，２ｂに挿入して着脱自在に保持することが可能となっている。そしてこのようにフィルムを保持することで、フィルム２におけるフィルムアダプター１０，２０，３０への取り付け部分の変形やフィルム２全体の湾曲という問題を解消することができる。またさらに、フィルム２の幅方向端部が曲げられたりスリット内に挿入されたりしないので、記録された情報の検出を妨げることもない。
【００３８】
また、第１及び第２の実施形態では、フィルムアダプター１０，２０にフィルム２を取り付けたときの全体長さＬは、延長部１１ａ，１１ｂ又は鈎部２４ａ，２４ｂを含む基板１１，２１の長さとは限らず、延長部１１ａ，１１ｂ又は鈎部２４ａ，２４ｂの長さ、立ち上げ部１２ａ，１２ｂ又は下側突出部２２ａ，２２ｂの配置、及び取り付けられるフィルム２の長さに関係するものである。つまり、本実施形態のような１コマネガのフィルム２に限定されずに任意の長さのフィルムを取り付けることが可能で、これにより全体長さＬを変更できるので、様々な搬送用ローラ間のピッチの最大距離Ｌｐを有するネガマスクに対応することができる。
【００３９】
一方、第３の実施形態では、取り付け対象となるフィルムのコマ数を予め設定した上で開口部３２ｃを形成させることで、限定したコマ数のフィルム専用のフィルムアダプターとすることができる。例えば開口部３２ｃを１コマネガ用に形成することで、一般にそのままではネガマスク１を用いて露光又はスキャニングすることができない１コマネガのフィルムに対する専用のフィルムアダプターとすることができる。
【００４０】
また、第１及び第３の実施形態では、立ち上げ部１２ａ，１２ｂ，３２ａ，３２ｂがフィルム２のパーフォレーション２ａ，２ｂ全てに対応するように設けられているため、フィルム２をより確実に保持することが可能である。例えばフィルム２のパーフォレーション２ａ，２ｂのうちいずれかが目切れなどにより損傷するといった不都合が生じた場合でも、他の損傷していないパーフォレーション２ａ，２ｂを利用することにより、フィルム２を適切に保持し続けることができる。つまり、ネガマスク１内で搬送される際にフィルム２がフィルムアダプター１０，３０から外れてしまうという可能性を最小限に抑え、安定した搬送を実現することができる。
【００４１】
また、第２の実施形態では、フィルム２のパーフォレーション２ａ，２ｂに挿入される下側突出部２２ａ，２２ｂがそれぞれ幅方向両端に１つずつ設けられているため、フィルム２の取り付け作業がより簡単である。
【００４２】
以上、本発明の好適な実施の形態について説明したが、本発明は上述の実施の形態に限られるものではなく、特許請求の範囲に記載した限りにおいて様々な設計変更が可能である。例えば立ち上げ部１２ａ，１２ｂ，３２ａ，３２ｂ又は下側突出部２２ａ，２２ｂは、基板１１，２１，３１の平面外であれば、上側又は下側のいずれに突出してもよい。
【００４３】
また、上述した第１〜第３の実施形態において立ち上げ部１２ａ，１２ｂ，３２ａ，３２ｂ又は下側突出部２２ａ，２２ｂは搬送方向の下流側の斜め上方又は下方に突出しているが、フィルム２のパーフォレーション２ａ，２ｂに挿入して係止でき且つネガマスク１内での搬送中に外れるという不都合が防止されるものであれば、突出方向はこの方向に限定されない。例えば立ち上げ部１２ａ，１２ｂ，３２ａ，３２ｂ又は下側突出部２２ａ，２２ｂを、フィルムアダプター１０，２０，３０の幅方向の外側に向けて突出させてよい。この場合、フィルム２を取り付けるにあたっては、フィルムアダプター１０，２０，３０を若干湾曲させてから、立ち上げ部１２ａ，１２ｂ，３２ａ，３２ｂ又は下側突出部２２ａ，２２ｂを対応するフィルム２のパーフォレーション２ａ，２ｂに挿入し、挿入後フィルムアダプター１０，２０，３０を平面状態に戻せばよい。立ち上げ部１２ａ，１２ｂ，３２ａ，３２ｂ又は下側突出部２２ａ，２２ｂを幅方向の外側に向けて突出させることで、図１の矢印方向の搬送だけでなくその逆方向の搬送も行う場合、つまり２方向の搬送を行う場合にも、フィルム２がフィルムアダプター１０，２０，３０から外れるという不都合を最小限に防止できる。なお、上述の第１〜第３の実施形態では、フィルム２を取り付ける前にフィルムアダプター１０，２０，３０を湾曲させるという作業が不要である。
【００４４】
また、第１〜第３の実施形態における立ち上げ部１２ａ，１２ｂ，３２ａ，３２ｂ又は下側突出部２２ａ，２２ｂの数は、フィルム２に形成されたパーフォレーション２ａ，２ｂの数を超えない限りは、特に限定されるものではない。例えば第１及び第３の実施形態における立ち上げ部１２ａ，１２ｂ，３２ａ，３２ｂをフィルム２のパーフォレーション２ａ，２ｂ全てに対応させて設けるのではなく、フィルム２の幅方向一端側及び他端側のそれぞれ少なくとも１つずつのパーフォレーション２ａ，２ｂに対応させて設けてよい。また、第２の実施形態における下側突出部２２ａ，２２ｂを複数設ける場合は、各細長延長部２１ａ，２１ｂを長手方向にさらに延長させて複数の下側突出部２２ａ，２２ｂを配置すればよい。なお、立ち上げ部１２ａ，１２ｂ，３２ａ，３２ｂ又は下側突出部２２ａ，２２ｂを設ける位置は、フィルムアダプター１０，２０，３０の幅方向両端で、互いに幅方向に対向していてもよいし、対向せず互いに斜め方向に離隔していてもよい。
【００４５】
なお、立ち上げ部１２ａ，１２ｂ又は下側突出部２２ａ，２２ｂの数を増やしてフィルム２のパーフォレーション２ａ，２ｂのより多くに挿入することで、フィルム２をより確実に保持することが可能となり、ネガマスク１内で搬送される際にフィルム２がフィルムアダプターから外れてしまうという可能性を最小限に抑えることができる。逆に、立ち上げ部１２ａ，１２ｂ又は下側突出部２２ａ，２２ｂの数を少なくすると、フィルム２の取り付け作業がより簡単になるという効果が得られる。
【００４６】
また、上述した第１〜第３の実施形態では用いるフィルム２を１コマネガとしているが、２コマ以上のフィルムを用いてもよい。なお、第１及び第２の実施形態においては、フィルムアダプター１０，２０本体の長さを変更することなく２コマ以上のフィルムを取り付けることができるが、第３の実施形態においては、フィルムアダプター３０本体の長さ及び開口部３２ｃを対象とするフィルムのコマ数に応じて適宜変更する必要がある。
【００４７】
また、上述した第１〜第３の実施形態において、フィルムアダプター１０，２０，３０にフィルム２を取り付けたときの全体長さＬは２コマネガの長さとほぼ等しいものとしているが、ネガマスク１内の搬送用ローラ６ａ，６ｂ，６ｃ間のピッチの最大距離Ｌｐ以上であれば、これに限定されるものではない。全体長さＬが長い方がネガマスク１内での搬送が安定することや、現在一般に使用されているネガマスク１には３コマネガを最小単位として扱うものが多いことなどの理由から、全体長さＬを例えば３コマ以上のネガの長さとしてもよい。用いるフィルム２の長さを変えなくても、フィルムアダプター１０，２０，３０における基板１１，２１，３１の矩形部１１ｃ，１２ｃ，３２ｃの長さを変更することで、全体長さＬを３コマ以上のネガの長さとすることができる。
【００４８】
また、フィルムアダプター１０，２０，３０の基板１１，２１，３１の角に切り欠きを設けてよい。こうすることで、フィルムアダプター１０，２０，３０をネガマスク１にセットしやすくなり、さらに、繰り返し使用していくうちに角が折れ曲がってネガマスク１にセットする際又は搬送中にネガマスク１内で引っ掛かるという不都合を防止できる。
【００４９】
また、第１及び第３の実施形態において、フィルム２の画像部２ｃに対応するよう形成されたフィルムアダプター１０，３０の空間１２ｃ又は開口部３２ｃに、透光性を有する材料を施してもよい。しかしながら搬送中に傷が付いて画質の劣化を招く恐れがあるという観点からは、透光性を有する材料を施さない方が好ましい。
【００５０】
【発明の効果】
請求項１によると、フィルムの幅方向端部に記録された情報の検出を妨げることなく、単純な作業によりフィルムを曲げずに平面を保った状態で着脱自在に保持することができる。
【図面の簡単な説明】
【図１】本発明の第１の実施形態に係るフィルムアダプターと取り付ける前のフィルムとを示す概略斜視図である。
【図２】（ａ）は図１のフィルムアダプターにフィルムが取り付けられた状態を示す概略斜視図である。（ｂ）は（ａ）のフィルムアダプターの立ち上げ部とフィルムのパーフォレーションとの係止状態を示す部分断面図である。
【図３】本発明の第２の実施形態に係るフィルムアダプターを示す概略斜視図である。
【図４】本発明の第３の実施形態に係るフィルムアダプターを示す概略斜視図である。
【図５】ネガマスクの搬送路を概略的に示す上面図である。
【図６】スヌケネガでフィルムの寸法を調節した例を示す概略平面図である。
【符号の説明】
１　ネガマスク
２　フィルム
２ａ，２ｂ　パーフォレーション
１０，２０，３０　フィルムアダプター
１１，２１，３１　基板
１２ａ，１２ｂ，３２ａ，３２ｂ　立ち上げ部（係止部）
２２ａ，２２ｂ　下側突出部（係止部）
【図１】
2004069964.tif 000003
【図２】
2004069964.tif 000004
【図３】
2004069964.tif 000005
【図４】
2004069964.tif 000006
【図５】
2004069964.tif 000007
【図６】
2004069964.tif 000008